(57)【要約】      （修正有）【課題】目盛の背後に調光部を有する計器装置において、目盛の輝度を確保する。【解決手段】光源７の前方に配置され目盛２１を有する文字板１と、文字板１の背後に配置される導光部材２と、を備え、目盛２１に対向する箇所の導光部材２の背後に調光部３２を有し、調光部３２は、隙間なく印刷されたベタ調光部と、ベタ調光部の周りに隙間を有する点が印刷された網点調光部と、を有する。【選択図】図２
2020041974.tif 000002
【特許請求の範囲】
【請求項１】
光源と、前記光源の前方に配置され目盛を有する文字板と、
前記文字板の背後に配置される導光部材と、を備え、
前記目盛に対向する箇所の前記導光部材の背後に調光部を有し、
前記調光部は、隙間なく印刷されたベタ調光部と、前記ベタ調光部の周りに隙間を有する点が印刷された網点調光部と、を有することを特徴とする計器装置。
【請求項２】
前記導光部材は、一部が前記文字板の前面へ突出する突出目盛を有することを特徴とする請求項１に記載の計器装置。
【請求項３】
前記網点調光部は、前記ベタ調光部から遠くなるほど密度が小さくなるグラデーション状に形成されることを特徴とする請求項１に記載の計器装置。
【請求項４】
前記調光部は、前記導光部材の背後に設けられる拡散部材に形成されることを特徴とする請求項１に記載の計器装置。
【請求項５】
前記拡散部材は、前記導光部材と所定間隔を置いて配置されることを特徴とする請求項４に記載の計器装置。
【発明の詳細な説明】
【技術分野】
【０００１】
本開示は、計器装置に関するものであり、特に、車両に搭載する計器装置に関するものである。
【０００２】
車両のインスツルメントパネルには、スピードメータやタコメータ等を備えた計器装置が配置される。計器装置は、特許文献１に開示されるように、中ケース（ハウジング）に固定された文字板（文字盤）と、該文字板の文字表示領域を縁取る額縁部と、前記文字板の文字に対応して前記額縁部の表面に突出するように配置された突出目盛（目盛）と、前記文字板を背後から照明する光源と、を備え、前記額縁部は前記光源からの光を透過不能に形成され、前記突出目盛は前記光源からの光を透過可能に形成されてなる計器装置であって、前記突出目盛の背後の前記額縁部に対応する範囲に所定間隔を置いて配置された特定色光のみを透過する調光部（カラーフィルタ）と、前記調光部の背後に配置された光反射部と、を備えている。
【先行技術文献】
【特許文献】
【０００３】
【特許文献１】特開２００９−００８５９２号公報
【発明の概要】
【発明が解決しようとする課題】
【０００４】
しかしながら、前記調光部が前記額縁部に対応する範囲に形成されるため、背後からの光の調光範囲が大きいので、突出目盛の輝度が暗くなりすぎるといった問題点があった。また、突出目盛の近傍に他の目盛（例えば前記目盛よりも刻みの小さい目盛）がある場合、その背後の範囲にまで前記調光部の範囲が及び、他の目盛が暗くなってしまうといった問題点があった。
【０００５】
そこで、本開示は、上記問題点に鑑みてなされたものであり、目盛の背後に調光部を有する計器装置において、目盛の輝度を確保することを目的とする。
【課題を解決するための手段】
【０００６】
本開示は、光源７と、前記光源７の前方に配置され目盛２１，２２，１２ａ，１２ｂを有する文字板１と、前記文字板１の背後に配置される導光部材２と、を備え、前記目盛２１，２２に対向する箇所の前記導光部材２の背後に調光部３２を有し、前記調光部３２は、隙間なく印刷されたベタ調光部３２ａと、前記ベタ調光部３２ａの周りに隙間を有する点が印刷された網点調光部３２ｂと、を有する。
【発明の効果】
【０００７】
本開示によれば、目盛の背後に調光部を有する計器装置において、目盛の輝度を確保することができ、視認性の高い計器装置を提供することができる。
【図面の簡単な説明】
【０００８】
【図１】本開示の第１の実施形態を示す計器装置の正面図。
【図２】図１中のＡ−Ａ線に沿った断面図。
【図３】図２中の矢視Ｙから見た文字板１と導光部材２と拡散部材３の位置関係図。
【図４】図３における本開示の第２の実施形態を示す図。
【図５】図２における本開示の第２の実施形態を示す図。
【発明を実施するための形態】
【０００９】
以下、図１乃至５に基づいて、本開示の計器装置を車両に搭載される車両用計器に適用した場合を例に挙げて説明する。
【００１０】
以下の説明において、「前面側」は、図１における手前側、及び図２における上側（文字板１側）であり視認者（運転者）に視認される側を意味する。「背（後）面側」は、図１における奥側、及び図２における下側（回路基板５側）を意味する。
【００１１】
以下、本開示の第１の実施形態を説明する。
図１に示すように、計器装置１００には、スピードメータ１０１やタコメータ１０２等の各種メータが設けられる。スピードメータ１０１，タコメータ１０２は、文字板１に表示された指標となる文字（数字）１１及び目盛１２と、指標を指示する指針６とを備えている。
【００１２】
指針６は、その一方端部を中心として他方端部が回動する。指針６の他方端部の回動軌跡に沿って、複数の文字１１と、文字１１に対応して外周側に配置される目盛１２とが文字板１に表示される。これにより、スピードメータ１０１，タコメータ１０２の周縁部に表示領域が形成される。
【００１３】
文字板１は、例えば透明又は半透明の透光性のポリカーボネート樹脂等からなる薄板状の基材の表裏面に、透光性及び遮光性のインキが印刷されたものからなる。文字板１は、スピードメータ１０１，タコメータ１０２の文字１１の周囲を縁取るようにスピードメータ１０１，タコメータ１０２の中央部から熱板圧空成形により外側前面方向へ傾斜した隆起部１３が設けられる。文字板１の下地が黒色等の暗色であるのに対して、隆起部１３はシルバーメタリック等の明色を呈する。これにより、運転者が計器装置１００に視線を移したときに、スピードメータ１０１，タコメータ１０２の位置を瞬時に把握できる。目盛１２は、隆起部１３に配置される。
【００１４】
文字板１の背後には、導光部材２が設けられる。導光部材２は、例えば透明のＰＭＭＡ（アクリル）樹脂等からなり、円盤状に形成される。導光部材２は、スピードメータ１０１，タコメータ１０２の中央部（文字１１）の背後において文字板１に当接し、隆起部１３の背後はテーパ状に形成される。目盛１２は、隆起部１３の背後の導光部材２の一部が前面へ突出する突出目盛（目盛）２１を有する。突出目盛２１の先端は、隆起部１３の目盛孔１４を貫通し、隆起部１３の表面から突出する。
【００１５】
目盛１２は、突出目盛２１の間を２分割する中間の位置に配置される中目盛(目盛)１２ａと、突出目盛２１と中目盛１２ａとの間を均等に５分割する位置に４個配置される小目盛（目盛）１２ｂと、を有する。
【００１６】
図２に示すように、文字板１は、中ケース（ケース体）４に固定される。中ケース４は、白色の合成樹脂（例えば、ポリプロピレン）からなる。中ケース４は、スピードメータ１０１，タコメータ１０２の形成領域に椀状陥没部４１を備えている。椀状陥没部４１の中央底部には、文字板１を背後から照明する光源７が設けられる。
【００１７】
光源７は、白色の発光ダイオード（ＬＥＤ：Ｌｉｇｈｔ  Ｅｍｉｔｔｉｎｇ  Ｄｉｏｄｅ）等で構成される。光源７は、回路基板５に実装され、その前方に配置される文字板１を照明する。
【００１８】
回路基板５は、例えばＦＲ−４（Ｆｌａｍｅ  Ｒｅｔａｒｄａｎｔ−４）等の平板状のガラスエポキシ系基材に配線パターン（図示せず）を施した硬質配線基板からなり、光源７を点灯動作させるための指令信号を出力する制御手段（図示せず），抵抗，コンデンサ等の各種回路部品（図示せず）が前記配線パターンに導通接続される。
【００１９】
導光部材２の背後には、拡散部材３が設けられる。拡散部材３は、例えば透明又は半透明の透光性のポリカーボネート樹脂等からなる薄板状の基材の表裏面に、透光性のインキが印刷されたものからなる。拡散部材３は、円盤状に形成され、表示領域（文字１１の領域）の背後は導光部材２に当接して配置され、隆起部１３（突出目盛２１）の背後は所定間隔（例えば１から２ｍｍ程度）離れた隙間Ｇを有して配置される。
【００２０】
拡散部材３は、前面側の全域に拡散性の白色のインキにより形成された拡散部３１と、背面側の突出目盛２１に対向する箇所に透過率の比較的小さい（例えば３０〜５０％透過率）黒系のインキ（黒スモークインキ）により形成された調光部３２を備えている。図３に示すように、調光部３２は、一面に隙間なく印刷されたベタ調光部３２ａと、隙間を有する小さな点の集まりが印刷された網点調光部３２ｂを有する。尚、ベタ調光部３２ａと網点調光部３２ｂは、同一印刷工程で形成され、つまり、同じインキで形成される。
【００２１】
ベタ調光部３２ａは、突出目盛２１の図２の矢視Ｙ方向からの正面視形状に対し１ｍｍから２ｍｍ程度大きい範囲で形成され、網点調光部３２ｂは、ベタ調光部３２ａの周りに突出目盛２１の形状に対し２ｍｍから３ｍｍ程度大きい範囲で形成される。ベタ調光部３２ａは、小目盛１２ｂとは重ならない範囲（対向しない範囲）に形成されるが、網点調光部３２ｂは、小目盛１２ｂと重なる範囲（対向する範囲）に形成される。
【００２２】
拡散部材３の背後には、中ケース４の椀状陥没部４１が配置される。中ケース４は白色の樹脂材料等で構成されるので、椀状陥没部４１は光反射部（リフレクタ）として機能する。すなわち、調光部３２の背後に所定距離を置いて光反射部が配置される。
【００２３】
次に、本実施形態に係る計器装置１００の作用、効果について説明する。
昼間には、太陽光等の強い外光が突出目盛２１に入射する。この外光は、拡散部材３の拡散部３１で反射され、突出目盛２１を透過して外部に出射する。この出射光は、拡散部３１を反射するので白色光となる。これにより車両の搭乗者は、突出目盛２１を白色として視認することになる。尚、昼間でも光源７が点灯するが、外光が支配的であるため、突出目盛２１は白色に視認される。これにより、シルバーメタリック色の隆起部１３の中で、白色の突出目盛２１を目立たせることができる。
【００２４】
また、夜間には、光源７から出射された光の一部が、光反射部で反射され、拡散部材３（拡散部３１及び調光部３２）を透過し、突出目盛２１を透過して外部に出射する。この出射光は、拡散部３１と調光部３２とを透過するので白色光となる。これにより車両の搭乗者は、突出目盛２１を白色として視認することになる。尚、夜間でも弱い外光が突出目盛２１に入射するが、光源７の光が支配的となるため、突出目盛２１は白色に視認される。
【００２５】
このように形成されることにより、調光部３２を透過する光は、ベタ調光部３２ａと網点調光部３２ｂを透過する。網点調光部３２ｂを透過する光は、ベタ調光部３２ａを透過する光よりも透過量が多くなる。調光部３２の光の透過量は、網点調光部３２ｂの小さな点の密度の大小を調整することで突出目盛２１の輝度を調整することができる。従って、ベタ調光部３２ａの透過率を調整する場合に比べ、突出目盛２１の輝度の調整を容易とすることができ、設計効率の高い計器装置を提供することができる。
【００２６】
また、網点調光部３２ｂは小目盛１２ｂと重なる範囲に形成される。従って、ベタ調光部３２ａを小目盛１２ｂと重なる範囲に形成する場合に比べ、小目盛１２ｂの輝度の確保を容易とすることができ、視認性の高い計器装置を提供することができる。
【００２７】
また、調光部３２は拡散部３１の背後に形成されるので、ベタ調光部３２ａと網点調光部３２ｂを透過した光は拡散部３１によって拡散される。従って、車両の搭乗者は、突出目盛２１越しに見えるベタ調光部３２ａと網点調光部３２ｂの境界がぼかされて視認されるので、外観商品性の高い計器装置を提供することができる。
【００２８】
また、調光部３２は導光部材２と拡散部材３との間に隙間Ｇを有するので、拡散部３１を透過した光は導光部材２に入射する際に拡散される。従って、車両の搭乗者は、突出目盛２１越しに見えるベタ調光部３２ａと網点調光部３２ｂの境界がぼかされて視認されるので、より外観商品性の高い計器装置を提供することができる。
【００２９】
本開示の第２の実施形態を図４に示す。前述した第１の実施形態と同一部分、均等部箇所については同一符号を付して説明する。
【００３０】
本開示では、網点調光部３２ｂは、小目盛１２ｂに対向する部分が、ベタ調光部３２ａから遠くなるほど（離れるほど）小さな点の密度が徐々に小さくなる（隙間の密度が徐々に大きくなる）グラデーション状に形成した。
【００３１】
このように形成されることにより、網点調光部３２ｂの小目盛１２ｂに対する光の遮蔽の影響を小さくすることができる。従って、小目盛１２ｂの輝度の確保を容易とすることができ、視認性の高い計器装置を提供することができる。尚、小目盛１２ｂの輝度が明るすぎる場合には、網点調光部３２ｂの調整により、狙いの輝度まで下げることも可能である。
【００３２】
尚、本開示の計器装置を上記した実施形態の構成にて例に挙げて説明したが、本開示はこれに限定されるものではなく、他の構成においても、本開示の要旨を逸脱しない範囲において種々の改良、並びに設計の変更が可能なことは勿論である。
【００３３】
例えば、実施形態では光源７として白色光を発光するものを採用するが、他の色光を発光するものを採用することも可能である。また、実施形態では突出目盛２１を透明材料（全色光透過材料）で構成したが、突出目盛２１を特定色光透過材料で構成することも可能である。
【００３４】
また、実施形態では導光部材２は、一部が前面へ突出する突出目盛２１を有するが、図５に示すように、一部が背後の回路基板５の方へ凹む凹目盛（目盛）２２であってもよい。また、実施形態では拡散部材３の背面側に調光部３２を備えていたが、図５に示すように、導光部材２の背面側に拡散部３１を印刷形成し、その背後に凹目盛２２に対向する箇所に調光部３２を印刷形成してもよい。
【００３５】
本開示は、車両用の計器装置に関し、例えば、自動車やオートバイ、あるいは農業機械や建設機械を備えた移動体に搭載される車両用の計器装置に適用することができる。
【符号の説明】
【００３６】
１  文字板
１２ａ  中目盛（目盛）
１２ｂ  小目盛（目盛）
２  導光部材
２１  突出目盛（目盛）
２２  凹目盛（目盛）
３  拡散部材
３２  調光部
３２ａ  ベタ調光部
３２ｂ  網点調光部
７  光源
【図１】
2020041974.tif 000003
【図２】
2020041974.tif 000004
【図３】
2020041974.tif 000005
【図４】
2020041974.tif 000006
【図５】
2020041974.tif 000007